(57)【要約】      （修正有）【課題】柔軟性及び液透過性の阻害を抑制しつつ形状保持をし易い、吸収性物品の液透過性シート用の複合シートを提供する。【解決手段】第１方向と第２方向Ｗと上方及び下方を含む厚さ方向Ｔとを有し、第１上面及び第１下面を備える第１のシート１３と、第１のシートの下方に積層され且つ第２上面及び第２下面を備える第２のシート１５とを備える、吸収性物品の液透過性シート用の複合シートであって、各々が第１方向に延在し上方に突出し中実に構成された複数の凸部領域１７と、その各々の間において第１方向に延在するエンボス部２５と、第１のシート１３の第１下面と第２のシート１５の第２上面とを接着し第１方向に延在する複数の接着剤配置領域２１と、複数の接着剤非配置領域２３と、を第２方向Ｗに交互に備え、エンボス部の第２方向の長さＬ１が接着剤非配置領域の第２方向の長さＬ２よりも長い。【選択図】図５
0003215319.tif 000002
【実用新案登録請求の範囲】
【請求項１】
第１方向と、第２方向と、上方及び下方を含む厚さ方向とを有し、第１上面及び第１下面を備える第１のシートと、前記第１のシートの下方に積層され且つ第２上面及び第２下面を備える第２のシートとを備える、吸収性物品の液透過性シート用の複合シートであって、
前記複合シートが、
各々が前記第１方向に延在し、前記上方に突出し、中実となるように構成された複数の凸部領域と、
前記複数の凸部領域のそれぞれの間において、前記第１方向に延在し且つ前記第１のシート及び前記第２のシートをエンボスすることにより形成されたエンボス部と、
前記第１のシートの前記第１下面と前記第２のシートの前記第２上面とを接着し、前記第１方向に延在する複数の接着剤配置領域と、複数の接着剤非配置領域と、を前記第２方向に交互に備え、
前記エンボス部の前記第２方向の長さＬ１が前記複数の接着剤非配置領域のそれぞれの前記第２方向の長さＬ２よりも長い、前記複合シート。
【請求項２】
前記複数の凸部領域のそれぞれの前記第２方向における長さをＬ３、前記複数の接着剤配置領域のそれぞれの前記第２方向における長さをＬ４とすると、
Ｌ３＞Ｌ４を満たす、請求項１に記載の複合シート。
【請求項３】
前記複数の接着剤配置領域の投影面積の合計は、前記複合シートの投影面積に対して３０％以上８５％以下である、請求項１又は２に記載の複合シート。
【請求項４】
前記複数の凸部領域のそれぞれは、前記厚さ方向に貫通する開口部を有する、請求項１〜３のいずれか一項に記載の複合シート。
【考案の詳細な説明】
【技術分野】
【０００１】
本開示は、複合シート、より具体的には、吸収性物品の液透過性シート用の複合シートに関する。
【背景技術】
【０００２】
生理用ナプキンや使い捨ておむつのような吸収性物品の構成部材として、複数のシートから成る複合シートが知られている。複合シートは、例えば吸収性物品の液透過性シートに使用される。複合シートに要求される特性としては液透過性等があるが、特に着用者の肌に触れる複合シートに要求される特性としてはさらに柔らかさ（クッション性）や肌触りの良さなどがある。そのため近年では、略平坦の基部領域上に、その基部領域の表面から離れる方向に突出した複数の畝状又は島状の凸部を有する複合シートが用いられている。この畝状又は島状の凸部を有する複合シートは、凸部が比較的柔らかく、肌面にフィットし易いため、着用者は柔らかさや肌触りの良さを感じ易い傾向にある。特に、熱処理により嵩が回復する嵩回復性シートを用い、嵩回復の現象を利用して凸部を形成した複合シートでは、他の方法と比較して柔らかさや肌触りがより向上するため、検討が行われている。
【０００３】
例えば、下記特許文献１に開示された発明は、一方の面に複数の凸部が形成された第１のシートと、前記第１のシートの他方の面に積層された第２のシートと、を備える複合シートを用いた吸収性物品の製造方法であって、前記第１のシートを熱処理して嵩回復させる嵩回復工程と、前記熱処理された前記第１のシートを、第１のロールの歯部及び溝部と第２のロールの歯部及び溝部とが互いに噛み合う領域に供給して、前記第１のロールに接する前記第１のシートの前記一方の面に複数の凸部を形成し、前記第２のロールに接する前記第１のシートの前記他方の面に複数の凹部を形成する形成工程と、前記第１のシートの前記一方の面が前記第１のロールと接した状態を維持しつつ、前記複数の凸部の各々の内部が中実になるように、前記第２のロールから離れて前記複数の凹部の形状が緩和した前記第１のシートの前記他方の面を、前記第２のシートの一方の面と接合して、前記複合シートを形成する接合工程と、を備え、前記第１のシートの前記他方の面と前記第２のシートの前記一方の面との接合部は、前記第１のシートの前記複数の凸部の各々に対応する領域と厚さ方向に重なる、吸収性物品の製造方法である。
【０００４】
下記特許文献１に開示された吸収性物品の製造方法では、嵩回復工程において、第１のシートを嵩回復し、形成工程において、第１のロールと第２のロールとの間に第１のシートを挟み込むことで、第１のシートの一方の面に凸部を形成し、他方の面（裏面）に凹部を形成する。その後、接合工程において、第１のロールで凸部の形状を維持しつつ、第２のロールから離れた凹部の形状が、第１のシート自身の構成繊維の反発力（又は弾性力）により緩和されて、凹部よりも小さい（浅く狭い）窪みになり、その窪みと第２のシートとが接合部で接合される。このように、その窪み、すなわち第１のシートの他方の面における凸部に対応する領域と第２のシートとを接合することで、第１のシートと第２のシートとの間に隙間が生じること、すなわち凸部内に中空領域が形成されることを抑制できる。それにより、凸部を中実な形状に形成することができる。それに加え、第１のシートの他方の面における凸部に対応する領域と第２のシートとが接するような形状を有しているだけでなく、それらが接合されている（例示：接着剤）ので、その後の工程で第１のシートが第２のシートから離間して中空領域が後発的に形成されないようにすることができる。すなわち、複合シートの凸部内に中空領域が後発的に形成されることを抑制でき、よって凸部を中実に維持することができる。
したがって、上記製造方法に従って製造される吸収性物品の複合シートは、中実な凸部による柔らかさや肌触りと、液透過性の向上とを両立可能であるとされている。
【先行技術文献】
【特許文献】
【０００５】
【特許文献１】特許第６１３９０３９号公報
【考案の概要】
【考案が解決しようとする課題】
【０００６】
上記特許文献１に開示される製造方法に従って製造される吸収性物品の複合シートにおいて、さらに、前記第１のシートの複数の凸部のそれぞれの間に、前記第１のシートと前記第２のシートとをエンボスすることにより形成されたエンボス部を設ける場合、当該エンボス部が前記第１のシートと前記第２のシートとの前記接合部と重複するように設けられることにより、前記第１のシート及び前記第２のシートの接合強度が増し易い。その結果、シート同士が剥がれたりずれたりし難くなり、前記複合シートの複数の凸部の形状を保持し易くなることが期待される。しかし、前記エンボス部及び前記接合部が重複し易いように、当該接合部の配置領域を増やすと、当該配置領域における複合シートの柔軟性や液透過性が阻害される虞がある。
そこで、本開示は、柔軟性及び液透過性の阻害を抑制しつつ形状保持をし易い、吸収性物品の液透過性シート用の複合シートを提供することを目的とする。
【課題を解決するための手段】
【０００７】
そこで、本開示に係る複合シートは、
第１方向と、第２方向と、上方及び下方を含む厚さ方向とを有し、第１上面及び第１下面を備える第１のシートと、前記第１のシートの下方に積層され且つ第２上面及び第２下面を備える第２のシートとを備える、吸収性物品の液透過性シート用の複合シートであって、
前記複合シートが、
各々が前記第１方向に延在し、前記上方に突出し、中実となるように構成された複数の凸部領域と、
前記複数の凸部領域のそれぞれの間において、前記第１方向に延在し且つ前記第１のシート及び前記第２のシートをエンボスすることにより形成されたエンボス部と、
前記第１のシートの前記第１下面と前記第２のシートの前記第２上面とを接着し、前記第１方向に延在する複数の接着剤配置領域と、複数の接着剤非配置領域と、を前記第２方向に交互に備え、
前記エンボス部の前記第２方向の長さＬ１が前記複数の接着剤非配置領域のそれぞれの前記第２方向の長さＬ２よりも長い、ことを特徴とする。
【考案の効果】
【０００８】
本開示によれば、柔軟性及び液透過性の阻害を抑制しつつ形状保持をし易い、吸収性物品の液透過性シート用の複合シートを提供することができる。
【図面の簡単な説明】
【０００９】
【図１】図１は、本開示の実施の形態に係る複合シート１が適用された吸収性物品３の構成例を示す図である。
【図２】図２は、本開示の実施の形態に係る複合シート１の構成例を示す図である。
【図３】図３は、図２のＩＩＩ−ＩＩＩ’線に沿った端面図である。
【図４】図４は、図２のＩＶ−ＩＶ’線に沿った端面図である。
【図５】図５は、図３の部分拡大図である。
【考案を実施するための形態】
【００１０】
［態様１］
第１方向と、第２方向と、上方及び下方を含む厚さ方向とを有し、第１上面及び第１下面を備える第１のシートと、前記第１のシートの下方に積層され且つ第２上面及び第２下面を備える第２のシートとを備える、吸収性物品の液透過性シート用の複合シートであって、
前記複合シートが、
各々が前記第１方向に延在し、前記上方に突出し、中実となるように構成された複数の凸部領域と、
前記複数の凸部領域のそれぞれの間において、前記第１方向に延在し且つ前記第１のシート及び前記第２のシートをエンボスすることにより形成されたエンボス部と、
前記第１のシートの前記第１下面と前記第２のシートの前記第２上面とを接着し、前記第１方向に延在する複数の接着剤配置領域と、複数の接着剤非配置領域と、を前記第２方向に交互に備え、
前記エンボス部の前記第２方向の長さＬ１が前記複数の接着剤非配置領域のそれぞれの前記第２方向の長さＬ２よりも長い、前記複合シート。
【００１１】
本開示の、吸収性物品の液透過性シート用の複合シートは、前記エンボス部の前記第２方向の長さＬ１が前記複数の接着剤非配置領域のそれぞれの前記第２方向の長さＬ２よりも長く構成されているので、そうでない場合と比べて、前記エンボス部と前記複数の接着剤配置領域の内の少なくとも一部とが重複し易く、前記第１のシート及び前記第２のシートの接合強度が増し易い。その結果、シート同士が剥がれたりずれたりし難くなり、前記複合シートの複数の凸部領域の形状を保持し易い。また、前記複合シートは、前記複数の接着剤配置領域が前記第２方向に間欠的に配置されていることにより、前記複数の接着剤配置領域が前記複合シートの全面に配置されている場合と比べて、柔軟性及び液透過性の阻害が抑制され難い。さらに、前記複数の接着剤非配置領域のそれぞれが、前記第１方向に延在するので、前記複合シートが吸収性物品の液透過性シートに用いられた場合、体液を吸収性物品の第１方向に拡散させつつ吸収性物品内に浸透させ易く、前記複合シートは、液透過性を確保し易い。
したがって、本開示の複合シートは、柔軟性及び液透過性の阻害を抑制しつつ形状保持をし易い。
【００１２】
［態様２］
前記複数の凸部領域のそれぞれの前記第２方向における長さをＬ３、前記複数の接着剤配置領域のそれぞれの前記第２方向における長さをＬ４とすると、
Ｌ３＞Ｌ４を満たす、態様１に記載の複合シート。
【００１３】
本開示の、吸収性物品の液透過性シート用の複合シートは、前記複数の凸部領域のそれぞれの前記第２方向における長さＬ３及び、前記複数の接着剤配置領域のそれぞれの前記第２方向における長さＬ４について、Ｌ３＞Ｌ４の関係を満たし且つ、前述の通り、接着剤配置領域と接着剤非配置領域とは第２方向に交互に配置されているので、前記複数の凸部領域のそれぞれにおいて、少なくとも前記複数の接着剤配置領域の一部及び前記複数の接着剤非配置領域の一部の何れをも含むことができる。したがって、前記複数の凸部領域のそれぞれにおいて、少なくとも前記複数の接着剤配置領域の一部を含むことにより当該凸部領域における接合強度を維持し、形状をより確実に保持し易くすると共に、少なくとも前記複数の接着剤非配置領域の一部を含むことにより当該凸部領域における柔軟性及び液透過性の阻害をより確実に抑制し易い。
【００１４】
［態様３］
前記複数の接着剤配置領域の投影面積の合計は、前記複合シートの投影面積に対して３０％以上８５％以下である、態様１又は２に記載の複合シート。
【００１５】
本開示の、吸収性物品の液透過性シート用の複合シートは、前記複数の接着剤配置領域の投影面積の合計と前記複合シートの投影面積とが所定の関係にあるので、より確実に柔軟性及び液透過性の阻害を抑制しつつ形状保持をし易い。
【００１６】
［態様４］
前記複数の凸部領域のそれぞれは、前記厚さ方向に貫通する開口部を有する、態様１〜３のいずれかに記載の複合シート。
【００１７】
本開示の、吸収性物品の液透過性シート用の複合シートは、前記複数の凸部領域のそれぞれにおいて、前記厚さ方向に貫通する開口部を有するので、より確実に液透過性の阻害を抑制し易い。
【００１８】
以下、本開示の複合シートの好適な実施の形態について、図面を参照しながら詳細に説明する。なお、本開示においては、特に断りのない限り、「水平面上に置いた対象物（例えば、吸収性物品、複合シート等）を、垂直方向の上方側から対象物の厚さ方向に見ること」を、単に「平面視」といい、さらに、当該平面視による図を「平面図」という。
【００１９】
本開示において用いる各種方向等については、特に断りのない限り、以下のとおりである。本開示において、「長手方向」は「平面視における矩形状の対象物の長さの長い方向」を指し、「幅方向」は「平面視における矩形状の対象物の長さの短い方向（短手方向）」を指し、「厚さ方向」は「展開した状態で水平面上に置いた対象物に対して垂直方向」を指す。これらの長手方向、幅方向及び厚さ方向は、それぞれ互いに直交する関係にある。
【００２０】
また、本開示では、特に断りのない限り、対象物（例えば、複合シート等）の厚さ方向において、「対象物の着用時に、着用者の肌面に対して相対的に近位側」を「肌対向面側」といい、「対象物の着用時に、着用者の肌面に対して相対的に遠位側」を「非肌対向面側」という。なお、本開示においては、対象物を構成する各種部材（例えば、液透過性シート等）の「肌対向面側の表面」及び「非肌対向面側の表面」を、それぞれ単に「肌対向面」及び「非肌対向面」という。
【００２１】
また、本開示において、「排泄口対応領域」とは、吸収性物品の着用時に、着用者の排泄口に対向する或いは当接する領域を含む領域を指し、吸収性物品の種類や用途（具体的には、尿や便、経血などの液状排泄物の種類、対象とする着用者の年齢や性別等）に応じて、吸収性物品の種類毎に適宜設定される領域である。
吸収性物品が、個包装折線で折り畳まれて個包装される生理用ナプキンである場合には、「排泄口対応領域」とは、長手方向において、生理用ナプキンの前方より１つ目及び２つ目の個包装折線の間に位置する領域を指す。
【００２２】
また、排泄口対応領域は、通常、吸収性物品の長手方向の略中央部或いは前方側寄りの位置（例えば、吸収性物品が本体部及びフラップ部を有する場合は、平面視にて、本体部における、フラップ部と長手方向において重複する前方側寄りの位置であり、吸収性物品が長手方向の略中央部において幅方向の内側に括れた括れ部を有する本体部からなる場合は、平面視にて、本体部における前記括れ部に対応する位置であり、また、吸収性物品が長円状の本体部から構成される場合は、本体部の幅方向に延びる長手方向中央軸線を跨ぐ略中央部の位置である。）において、吸収性物品の長手方向全長の約１／３以上の長手方向長さと、吸収性物品の幅方向全長の約１／３以上の幅方向長さを有するように設定されるが、例えば、吸収性物品が夜用ナプキン等の場合は、排泄口対応領域の長手方向長さが、吸収性物品の長手方向全長の１／３未満となるように設定されることもある。
【００２３】
以下、本実施の形態に係る吸収性物品について生理用ナプキンを例として図面を参照して説明する。ただし、吸収性物品の種類及び用途としては、特に限定されるものではなく、例えばパンティライナー、使い捨ておむつ（テープ型、パンツ型）、失禁パッド、汗取りシート等の衛生用品・生理用品が挙げられ、これらはヒトが対象であってもよいし、ペット等のヒト以外の動物が対象であってもよい。その吸収性物品が吸収対象とする液体は特に限定されるものではなく、例えば着用者の液状排泄物、体液等が挙げられる。
【００２４】
図１は、本開示の実施の形態に係る複合シート１が適用された吸収性物品３の構成例を示す図であり、吸収性物品３を展開した状態での平面図を示す。吸収性物品（生理用ナプキン）３は、互いに直交する長手方向Ｌ（第１方向）、幅方向Ｗ（第２方向）及び厚さ方向Ｔを有し、長手方向Ｌに延びる本体部３Ａと、長手方向Ｌの略中央部に幅方向Ｗの両側に延出する一対のフラップ部３Ｂ、３Ｂとを備える。また、吸収性物品３は、幅方向Ｗの中心を通り長手方向Ｌに延びる中央軸線ＣＬと、一対のフラップ部３Ｂ、３Ｂの長手方向Ｌの中心を通り幅方向Ｗに延びる中央軸線ＣＷを有する。
【００２５】
なお、吸収性物品３の長手方向Ｌ、幅方向Ｗ及び厚さ方向Ｔと後述される吸収性物品３の各資材の長手方向、幅方向及び厚さ方向とは一致するので、以下では、吸収性物品３及びその各資材に共通に長手方向Ｌ、幅方向Ｗ及び厚さ方向Ｔを用いる。また、中央軸線ＣＬに向かう方向及び遠ざかる方向をそれぞれ幅方向Ｗの内側及び外側の方向とする。中央軸線ＣＷに向かう方向及び遠ざかる方向をそれぞれ長手方向Ｌの内側及び外側の方向とする。これらの定義も吸収性物品３の各資材に共通に用いる。また、本開示では、後述される凸部領域に関して「中実」という場合、凸部領域内での液体の移動を妨げるような中空領域（繊維密度が周囲と比較して著しく低い空間）を有さないことをいう。
【００２６】
図１に示すように、本実施の形態において、吸収性物品３は、少なくとも液透過性シート５と液不透過性シート７と吸収体９とで構成される。液透過性シート５は、本開示の実施の形態に係る複合シート１からなり、着用者の肌対抗面側に位置する液透過性のシートである。液透過性シートとしては、例えば液透過性の不織布や織布、液透過孔が形成された合成樹脂フィルム、これらの複合シートなど任意の液透過性シートが挙げられる。
【００２７】
液不透過性シート７は、着用者の非肌対抗面側に位置する液不透過性のシートである。液不透過性シートとしては、例えば液不透過性の不織布や合成樹脂フィルム、これらの複合シート、ＳＭＳ不織布など任意の液不透過性シートが挙げられる。
【００２８】
また、本実施の形態において、液不透過性シート７の非肌対抗面側には、液不透過性シート７を補強し、手触りを改善する外装シート１１が積層されている。外装シートとしては、液不透過性シートと同様の材料や撥水性の不織布や合成樹脂フィルム、これらの複合シートなど任意の撥水性シートが挙げられる。
【００２９】
吸収体９は、液透過性シート５及び液不透過性シート７との間に位置する液吸収性及び液保持性の材料である。吸収体としては、パルプ繊維、合成繊維、吸収性ポリマーなどが挙げられる。吸収体９と液透過性シート５及び液不透過性シート７とはそれぞれ接着剤により接合され、液透過性シート５と液不透過性シート７とはそれらの周縁部分にて接着剤により接合される。液透過性シート５、吸収体９及び液不透過性シート７の間の接合用の接着剤は、吸収性物品で一般的に使用される公知の材料、例えば熱可塑性接着剤を使用できる。
【００３０】
次に、複合シート１（液透過性シート５）についてさらに説明する。液透過性シート５は、複合シート１から構成される。図２は、本開示の実施の形態に係る複合シート１の構成例を示す図である。図３は、図２のＩＩＩ−ＩＩＩ’線に沿った端面図である。図４は、図２のＩＶ−ＩＶ’線に沿った端面図である。図５は、図３の部分拡大図である。
【００３１】
図２〜図５に示すように、複合シート１は、第１のシート１３と、第１のシートの下方に積層された第２のシート１５と、を備える。ただし、厚さ方向Ｔのうちの一方向を上方とし、他方向を下方とする。
【００３２】
第１のシート１３は、厚さ方向Ｔの上方の面である第１上面１３Ｕ（一方の面）と、下方の面である第１下面１３Ｌ（他方の面）とを有し、長手方向Ｌ及び幅方向Ｗに拡がるシートである。
また、複合シート１は、第１のシート１３の第１上面１３Ｕにおいて、各々が長手方向Ｌに沿って連続的に延在する複数の凸部領域１７と、互いに隣接する凸部領域１７の間に長手方向Ｌに沿って連続的に延在する基部領域１９と、を含む。凸部領域１７は、第１上面１３Ｕの基部領域１９から厚さ方向Ｔの上方に突出した突出部ということができる。凸部領域の寸法としては、好ましくは、幅０．２５〜５ｍｍ、より好ましくは、幅１〜３ｍｍ、好ましくは、高さ０．２〜５ｍｍ、より好ましくは、高さ１〜３ｍｍ、好ましくは、ピッチ０．５〜１０ｍｍ、より好ましくは、ピッチ１〜７ｍｍが挙げられる。
【００３３】
第２のシート１５は、厚さ方向Ｔの上方の面である第２上面１５Ｕ（一方の面）と、下方の面である第２下面１５Ｌ（他方の面）とを有し、長手方向Ｌ及び幅方向Ｗに拡がるシートである。なお、第２のシートは、第１のシートの凸部領域に対応する部分において、厚さ方向の上方にやや盛り上がっていてもよい。すなわち第１のシートと第２のシートとの境界は凸部領域においてやや凸であってもよい。
【００３４】
図２〜図５に示すように、複合シート１は、第１のシート１３の第１下面１３Ｌと第２のシート１５の第２上面１５Ｕとを接着し、長手方向Ｌに延在する複数の接着剤配置領域２１と、複数の接着剤非配置領域２３と、を幅方向Ｗに交互に備える。複数の接着剤配置領域２１のそれぞれは、本実施の形態ではホットメルト接着剤に例示される接着剤が塗工された領域であり、第１のシート１３と第２のシート１５とを接合し且つ図に明示していないが厚さ方向Ｔ上方及び下方に拡散している。接着剤配置領域２１は、第１のシート１３の複数の凸部領域１７の各々に対応する領域と厚さ方向Ｔに重なる。言い換えると、厚さ方向Ｔの上方から見て、すなわち平面視で、各凸部領域１７の領域の少なくとも一部に、接着剤配置領域２１の少なくとも一部が含まれる。また、複数の接着剤非配置領域２３のそれぞれは、接着剤が塗工されていない領域である。
【００３５】
複合シート１において、このように複数の接着剤配置領域２１が幅方向Ｗに間欠的に配置されていることにより、複数の接着剤配置領域２１が複合シート１の全面に配置されている場合と比べて、複合シート１の柔軟性及び液透過性の阻害が抑制され易くなる。また、複数の接着剤非配置領域２３のそれぞれが、長手方向Ｌに延在するので、複合シート１が吸収性物品３の液透過性シート５に用いられた場合、体液を吸収性物品３の長手方向Ｌに拡散させつつ吸収性物品３内に浸透させ易くなるので、複合シート１は、液透過性を確保し易い。
【００３６】
このように、凸部領域１７の第１下面（他方の面）１３Ｌと第２のシート１５の第２上面（一方の面）１５Ｕとを接着剤配置領域２１により接着するので、凸部領域１７と第２のシート１５との間での隙間の形成を抑制でき、凸部領域１７内を中実な形状にできる。それにより、凸部領域１７全体を液体の移動経路にでき、複合シート１の液透過性を向上できる。また、複合シート１には複数の畝状の凸部領域１７を形成しているので、着用者の感じる柔らかさや肌触りを向上できる。このようにして複合シート１では、柔らかさや肌触りと液透過性とを確保しやすい。この場合、凸部領域が中実の形状のため、透液性の観点から、第１のシートの第１下面と第２のシートの第２上面との距離は、基部領域からの凸部領域の厚さ方向Ｔの高さの、好ましくは５％以内であり、より好ましくは１％以内である。
【００３７】
接着剤配置領域２１のパターンは、本実施の形態では、長手方向Ｌに沿って延び、幅方向Ｗに互いに平行に並んだ複数の線状のパターン（ストライプパターン）である。ストライプパターンの寸法としては、好ましくは、幅０．５〜２ｍｍ、より好ましくは、幅１〜１．５ｍｍ、好ましくは、ピッチ（すなわち、接着剤非配置領域の第２方向の長さ）０．１〜３ｍｍ、より好ましくは、ピッチ０．３〜２ｍｍが挙げられる。ただし、接着剤配置領域のパターンとしては、凸部領域に対応する領域と厚さ方向Ｔに重なれば、後述の関係式を満たす限り、特に制限は無く、オメガパターン、ウェブパターン、スパイラルパターンであってもよい。
【００３８】
本開示において、複数の接着剤配置領域の投影面積の合計は、複合シートの投影面積に対して、好ましくは、３０％以上８５％以下であり、より好ましくは、４０％以上８０％以下である。なお、本開示における対象物の投影面積は、当該対象物を平面視したときの見かけの面積（ｍｍ２）のことをいう。
【００３９】
本開示の、吸収性物品の液透過性シート用の複合シートは、複数の接着剤配置領域の投影面積の合計と複合シートの投影面積とがこのような所定の関係にあるようにし、複数の接着剤配置領域の複合シートに対する投影面積率を調整することにより、複合シートの柔軟性及び液透過性の阻害を抑制しつつ形状保持をし易い。
【００４０】
第１のシート１３における凸部領域１７及び基部領域１９の坪量は概ね同じである。凸部領域１７の繊維密度は基部領域１９の繊維密度よりも低い。基部領域１９の繊維密度はエンボス部２５の繊維密度よりも低い。凸部領域１７の繊維密度が低いので着用者は柔らかさを感じられる。第１のシートの坪量と第２のシートの坪量とはどちらが高くてもよく、または同じでもよい。
【００４１】
第１のシート１３は、液透過性であって、所定の熱処理で嵩が回復する嵩回復性のシートを用いる。吸収性物品３では第１のシート１３は嵩回復している。嵩回復性のシートとしては不織布、例えばエアスルー不織布、エアレイド不織布、ニードルパンチ不織布、スパンレース不織布等の液透過性の不織布が挙げられる。坪量としては、例えば１０〜２００ｇ／ｍ２が挙げられる。また、第１のシート１３の構成繊維としては、例えばポリエステル系やポリオレフィン系の繊維、又はそれらの複合繊維が挙げられる。複合繊維としては、例えばポリエチレンテレフタレート（ＰＥＴ）／ポリエチレン（ＰＥ）やポリプロピレン（ＰＰ）／ポリエチレン（ＰＥ）等の芯／鞘構造の繊維が挙げられる。本実施の形態では、ポリエチレンテレフタレート（ＰＥＴ）／ポリエチレン（ＰＥ）の芯／鞘構造の繊維を用いる。繊維の繊度としては例えば１〜２０ｄｔｅｘが挙げられる。
【００４２】
第２のシートは、液透過性であれば、嵩回復性のシートを用いてもよく、用いなくてもよい。本実施の形態では、柔らかさの観点から、第１のシート１３と同じ嵩回復性の不織布であるポリエチレンテレフタレート（ＰＥＴ）／ポリエチレン（ＰＥ）の芯／鞘構造の繊維を用いる。本実施の形態において、吸収性物品３では第２のシート１５は嵩回復している。ただし、第２のシートは、第１のシート１３と異なるシートであってもよい。
【００４３】
本実施の形態において、複合シート１は、エンボス部２５を備える。エンボス部２５は、複数の凸部領域１７のそれぞれの間において、つまり基部領域１９において、長手方向Ｌに延在し且つ第１のシート１３及び第２のシート１５をエンボスすることにより形成されている。より具体的には、エンボス部２５は、厚さ方向Ｔにおいて第１のシート１３の上方と第２のシート１５の下方とから狭持し圧縮して形成されており、第１のシート１３と第２のシート１５とを接合するものである。
【００４４】
本実施の形態において、エンボス部２５は、各基部領域１９において長手方向Ｌに沿って間欠的に配置される。エンボス部は、基部領域において長手方向（第１方向）に等間隔に配置されてもよいし、非等間隔に配置されてもよい。また、エンボス部は、幅方向（第２方向）に隣り合う基部領域において、長手方向に同じ位置に配置されてもよいし、同じ位置に配置されてなくてもよい。本実施の形態では、エンボス部２５は、基部領域１９に関して市松模様状に配置される。また、エンボス部の平面視の形状は楕円状など任意である。
【００４５】
本実施の形態において、エンボス部２５の幅方向の長さをＬ１、複数の接着剤非配置領域２３のそれぞれの幅方向Ｗの長さをＬ２とすると、Ｌ１がＬ２よりも長くなるように構成されている。言い換えると、エンボス部２５の幅方向の長さＬ１と複数の接着剤非配置領域２３のそれぞれの幅方向Ｗの長さＬ２との間には、Ｌ１＞Ｌ２の関係式が成り立つ。
【００４６】
複合シート１が、エンボス部２５の幅方向Ｗの長さＬ１が複数の接着剤非配置領域２３のそれぞれの幅方向Ｗの長さＬ２よりも長く構成されていることにより、エンボス部２５の幅方向Ｗの長さＬ１が複数の接着剤非配置領域２３のそれぞれの幅方向Ｗの長さＬ２以下である場合と比べて、エンボス部２５と複数の接着剤配置領域２１の内の少なくとも一部とが重複し易い。それにより、エンボス部２５において、接着剤配置領域２１に塗工された接着剤による接着により、第１のシート１３及び第２のシート１５の接合強度が増し易い。その結果、第１のシート１３及び第２のシート１５のシート同士が剥がれたりずれたりし難くなり、複合シート１の複数の凸部領域１７の形状を保持し易くなる。また、上述した通り、複合シート１において、複数の接着剤配置領域２１が幅方向Ｗに間欠的に配置されていることにより、複数の接着剤配置領域２１が複合シート１の全面に配置されている場合と比べて、複合シート１の柔軟性及び液透過性の阻害が抑制され難くなる。さらに、複数の接着剤非配置領域２３のそれぞれが、長手方向Ｌに延在するので、複合シート１が吸収性物品３の液透過性シート５に用いられた場合、体液を吸収性物品３の長手方向Ｌに拡散させつつ吸収性物品内に浸透させ易く、複合シート１は、液透過性を確保し易い。以上より、本実施の形態に係る複合シート１は、柔軟性及び液透過性の阻害を抑制しつつ形状保持をし易い。
【００４７】
さらに、本実施の形態において、複数の凸部領域１７のそれぞれの幅方向Ｗにおける長さをＬ３、複数の接着剤配置領域２１のそれぞれの幅方向Ｗにおける長さをＬ４とすると、Ｌ３＞Ｌ４の関係式が成り立つ。
【００４８】
複合シート１において、複数の凸部領域１７のそれぞれの幅方向Ｗにおける長さＬ３と、複数の接着剤配置領域２１のそれぞれの幅方向Ｗにおける長さＬ４とが、Ｌ３＞Ｌ４の関係を満たすことにより、複数の凸部領域１７のそれぞれにおいて、少なくとも複数の接着剤配置領域２１の一部と、複数の接着剤非配置領域２３の一部と、のいずれをも含むことができる。したがって、複数の凸部領域１７のそれぞれにおいて、少なくとも複数の接着剤配置領域２１の一部を含むことにより、凸部領域１７における接合強度を維持し、形状をより確実に保持し易くすると共に、少なくとも複数の接着剤非配置領域２３の一部を含むことにより凸部領域１７における柔軟性及び液透過性の阻害をより確実に抑制し易い。
【００４９】
本実施の形態において、複合シート１はさらに、複数の凸部領域１７のそれぞれにおいて、厚さ方向Ｔに貫通する開口部２７を有する。本実施の形態において、開口部２７は、複合シート１の排泄口対応領域に複数設けられている。複合シート１が、複数の凸部領域１７のそれぞれにおいて、厚さ方向Ｔに貫通する開口部２７を有することにより、複合シート１が吸収性物品３の液透過性シート５に用いられた場合、液透過性シート５上に排出された体液等を、開口部２７を介して吸収体９に移行させ易くなるので、より確実に液透過性の阻害を抑制し易い。
【００５０】
さらに、本実施の形態において、開口部２７は、各凸部領域１７において長手方向Ｌに沿って間欠的に配置される。開口部は、凸部領域において長手方向（第１方向）に等間隔に配置されてもよいし、非等間隔に配置されてもよい。また、開口部は、幅方向（第２方向）に隣り合う凸部領域において、長手方向に同じ位置に配置されてもよいし、同じ位置に配置されてなくてもよい。本実施の形態では、開口部は、凸部領域１７に関して市松模様状に配置される。また、開口部の平面視の形状は、真円状、楕円状など任意である。
【００５１】
なお、本開示において、開口部の複合シートに占める開口率の合計は、好ましくは、０．２〜２％、より好ましくは、０．５〜１％である。複合シートにおける液透過性と強度を両立させる観点からである。
【００５２】
本開示の複合シート乃至これを適用した吸収性物品は、本開示におけるエンボス部の幅方向（第２方向）の長さと複数の接着剤非配置領域のそれぞれの幅方向（第２方向）の長さとの関係以外の構成については、基本的には特許６１３９０３９号公報に記載の複合シート乃至これを適用した吸収性物品の製造方法に従って製造することができる。
【００５３】
なお、本開示に係る複合シートは、上述の実施の形態や例示的記載に制限されることなく、本開示の目的、趣旨を逸脱しない範囲内において、適宜組み合わせや変更等が可能である。
また、本開示において、「第１」、「第２」等の序数は、当該序数が付された事項を区別するためのものであり、各事項の順序や優先度、重要度等を意味するものではない。
【符号の説明】
【００５４】
１  複合シート
３  吸収性物品（生理用ナプキン）
３Ａ  本体部
３Ｂ  フラップ部
５  液透過性シート
７  液不透過性シート
９  吸収体
１１  外装シート
１３  第１のシート
１３Ｕ  第１上面
１３Ｌ  第１下面
１５  第２のシート
１５Ｕ  第２上面
１５Ｌ  第２下面
１７  凸部領域
１９  基部領域
２１  接着剤配置領域
２３  接着剤非配置領域
２５  エンボス部
２７  開口部
【図１】
0003215319.tif 000003
【図２】
0003215319.tif 000004
【図３】
0003215319.tif 000005
【図４】
0003215319.tif 000006
【図５】
0003215319.tif 000007